(57)【要約】【課題】断面外周が丸形でない容器口部を正確に位置決めして確実にグリップ保持する。【解決手段】容器口部のネック部が適宜の隙間で挟まれるような状態で、また、容器口部の鍔部が受けられるような状態で、容器が搬送ガイドされる容器搬送方向に設けた一対のネックレール４１ｆと、ネックレールの下方でその溝部が容器の胴部に係合して回転することにより容器が搬送されるスクリュー軸６と、容器に対してスクリュー軸と反対側に設けた搬送ガイド９を有する。ネックレール４１ｆを所定区間で分割して着脱可能とし、所定区間の搬送ガイド９を着脱可能とした。【選択図】図２
2013133175.tif 000002
【特許請求の範囲】
【請求項１】
鍔部を備えた容器口部のネック部が適宜の隙間で挟まれるような状態で、また、前記鍔部が受けられるような状態で、容器が搬送ガイドされる容器搬送方向の左右に設けた一対のネックレールと、前記ネックレールの下方でその溝部が前記容器の胴部に係合して回転することにより前記容器が搬送されるスクリュー軸、および、搬送容器に対して前記スクリュー軸と反対側に搬送容器がガイドされるように設けた搬送ガイドを有する容器搬送装置において、前記ネックレールを所定区間で分割して着脱可能とし、前記所定区間の前記搬送ガイドを着脱可能として、前記所定区間内で前記容器搬送に詰りが生じた際に、前記着脱可能搬送ガイドの取り外し、前記着脱可能ネックレールの取り外しを介して前記詰った容器のネック部を前記ネックレールから取り去ることができるようにして、前記詰った容器を該容器搬送装置から排除できるように構成したことを特徴とする容器搬送装置。
【請求項２】
請求項１に記載する容器搬送装置において、前記着脱可能ネックレールを、前記所定区間の容器搬送方向の一端側に設けたヒンジ（支点）を介して他端側を揺動持ち上げ可能な着脱容易構造として、前記持ち上げた他端側から前記詰った容器のネック部を前記ネックレールから取り去ることができるようにして、前記詰った容器を該容器搬送装置から排除できるように構成したことを特徴とする容器搬送装置。
【請求項３】
請求項１に記載する容器搬送装置において、前記着脱可能ネックレールを、持ち上げ取り外し可能な着脱容易構造とし、前記持ち上げによって取り外したネックレールから前記詰った容器のネック部を取り去ることができるようにして、前記詰った容器を該容器搬送装置から排除できるように構成したことを特徴とする容器搬送装置。
【請求項４】
請求項１に記載する容器搬送装置において、前記着脱可能ネックレールを、一対の一方は固定構造とし、他方は前記固定側との間で搬送方向に設けたヒンジ（支点）の周りにスウィング持ち上げ可能な着脱容易構造として、前記ネックレールのスウィング持ち上げによって前記詰った容器のネック部を取り去ることができるようにして、前記詰った容器を該容器搬送装置から排除できるように構成したことを特徴とする容器搬送装置。
【発明の詳細な説明】
【技術分野】
【０００１】
本発明は、鍔部を備えた容器口部のネック部が適宜の隙間で挟まれるような状態で、また、前記鍔部が受けられるような状態で、容器が搬送ガイドされる容器搬送方向の左右に設けた一対のネックレールと、前記ネックレールの下方でその溝部が前記容器の胴部に係合して回転することにより前記容器が搬送されるスクリュー軸、および、搬送容器に対して前記スクリュー軸と反対側に搬送容器がガイドされるように設けた搬送ガイドを有する容器搬送装置に関する。
【背景技術】
【０００２】
従来、鍔部を備えた容器口部のネック部を有するＰＥＴボトル等の容器搬送装置として、前記ネック部が適宜の隙間で挟まれるような状態で、また、前記鍔部が受けられるような状態で、容器が搬送ガイドされる容器搬送方向の左右に設けた一対のネックレールが使用され、また、前記容器が所定の搬送間隔に割出されるために前記容器の胴部に係合して回転するスクリュー軸、および、前記スクリュー軸によって搬送される容器の姿勢が崩れないようにするために、搬送容器に対してスクリュー軸と反対側に搬送ガイドが使用されることが多い。
このようなネックレールとスクリュー軸および搬送ガイドを有する容器搬送装置において、前記容器搬送にジャミング（詰り）が生じた際に前記ジャミングした容器を排除しようとすると、前記容器がネックレール、スクリュー軸および搬送ガイドに囲まれた状態になっているため排除が容易ではなく、前記容器のネック部を切断、或いは、前記スクリュー軸や搬送ガイドの取り外しと復元を行っており、ジャミング対処のために多くの労力、時間を費やしていた。
このような背景から、前記容器搬送装置において、ジャミング対処を容易に行えるような改善が要望されている。
なお、関連する技術としては、例えば、以下の特許文献１，２に開示されているものがある。
【先行技術文献】
【特許文献】
【０００３】
【特許文献１】特表２００３−５０４２９１号公報
【特許文献２】特開２００９−    ７１４６号公報
【発明の概要】
【発明が解決しようとする課題】
【０００４】
従来の容器搬送装置の１例を図１２から図１５に基づいて説明する。
図１２は、従来の容器搬送装置の平面図である。
図１３は、従来の容器搬送装置の正面図である。
図１４は、図１２のＸIＶ−ＸIＶ線断面図である。
図１５は、図１２のＸＶ−ＸＶ断面図である。
図１２から図１５において、容器搬送装置４０は、容器Ｐが、鍔部Ｐｓを備えた口部のネック部Ｐｎを適宜の隙間Ｃで挟むような状態で、また、前記鍔部Ｐｓを受けるような状態で搬送ガイドされる一対ネックレール４１にガイドされて、上流側からＦ方向に搬送され、後述するスターホイール５の近辺で所定の搬送間隔になるように、上下一対の回転するスクリュー軸６によって搬送間隔を割出されながら底板８上を搬送されて、図示Ｑの位置でスターホイール５の容器グリッパ５ｇに受け渡され、図示一点鎖線の搬送軌道Ｔ上を矢印５ａの方向に搬送されて図示Ｒの位置で下流側のＤ方向へ容器グリッパ５ｇから排出されるように構成されている。
なお、前記スクリュー軸６によって搬送される容器Ｐは、容器Ｐに対してスクリュー軸６と反対側に固定して設けられた搬送ガイド４９によってガイドされ、容器姿勢が崩れないようになっている。
【０００５】
前記容器グリッパ５ｇは、スターホイール５に所定のピッチで円周等分に設けられ、図示Ｑの位置付近で図示しない開閉機構により開閉して、図１４に示すように前記鍔部Ｐｓの上下面と係合して容器Ｐをグリップするようになっており、図示Ｒの位置付近では図示しない開閉機構により開となって容器Ｐを容器グリッパ５ｇから排出するようになっていて、前記容器グリッパ５ｇの搬送軌道Ｔ付近は前記ネックレール４１が切欠かれて、容器グリッパ５ｇとネックレール４１が干渉しないようになっている。
【０００６】
前記容器Ｐは、鍔部Ｐｓの口部側Ｐｈ部が前記一対のネックレール４１と覆い４２によって囲まれた空間Ｓ内に上流側から下流側へ噴出される空気流を受けて搬送されるようになっているが、容器Ｐの胴部が図１２および図１３に示すように一対のスクリュー軸６の溝部６ｇに係合すると、一対のスクリュー軸６の回転によって強制的に容器間隔が割出されながら搬送されるようになっている。
【０００７】
なお、前記上下一対のスクリュー軸６は、溝部６ｇの位相が上下で合うような構成となっており、スクリュー軸駆動箱７ｄおよびスクリュー軸従動箱７ｒによって支持されて、前記スターホイール５と同期して図示しない駆動装置によって回転駆動されるようになっている。
また、前記一対のネックレール４１は、ブラケット４３を介して取付けられた覆い４２とともに、下流側では支持台４７に、上流側では図示しない支持台に固定されている。
【０００８】
次に、従来の容器搬送装置４０の作用を説明する。
容器Ｐは、鍔部Ｐｓとネック部Ｐｎを一対のネックレール４１によってガイドされながら搬送され、スターホイール５に近づくと、回転する一対のスクリュー軸６の溝部６ｇに係合してスクリュー軸６が回転することによって搬送間隔を所定ピッチに割出され、図１２の図示Ｑの位置に達すると、鍔部Ｐｓをスターホイール５の容器グリッパ５ｇに保持されて搬送軌道Ｔ上を搬送されていく。
【０００９】
このような従来の容器搬送装置４０においては、例えば図１３に示す容器Ｐ１のネック部Ｐｎまたは鍔部Ｐｓが一対のネックレール４１に対してブロックしてしまう等により、前記容器Ｐ１の搬送が詰ってしまった場合、容器Ｐ１の胴部が一対のスクリュー軸６と搬送ガイド４９によって挟まれたような状態になっており、さらに、容器Ｐの口部が一対のネックレール４１と覆い４２によって囲まれて閉じ込められたような状態になっているため、前記詰った容器Ｐ１の排除が容易ではない。
【００１０】
即ち、前記詰った容器Ｐ１を排除するためには、詰った容器Ｐ１のネック部Ｐｎ近辺をカッター等で切断すること、または、前記一対のネックレール４１を工具等によって取り外すこと、或いは、前記一対のスクリュー軸６または搬送ガイド４９を取り外すことが必要となって、容器Ｐ１のネック部Ｐｎ近辺の切断、前記一対のネックレール４１の取り外しと復元、或いは、前記一対のスクリュー軸６または搬送ガイド４９の取り外しと復元に多くの労力と時間を費やしてしまうばかりでなく、前記一対のネックレール４１、或いは、前記一対のスクリュー軸６または搬送ガイド４９の復元位置が予め調整してあった位置決め位置からずれて、容器Ｐの搬送性能を乱してしまうという恐れがある。
【００１１】
本発明は、前記説明の従来技術の課題を解決するために、鍔部を備えた容器口部のネック部が適宜の隙間で挟まれるような状態で、また、前記鍔部が受けられるような状態で、容器が搬送ガイドされる容器搬送方向の左右に設けた一対のネックレールと、前記ネックレールの下方でその溝部が前記容器の胴部に係合して回転することにより前記容器が搬送されるスクリュー軸、および、搬送容器に対して前記スクリュー軸と反対側に搬送容器がガイドされるように設けた搬送ガイドを有する容器搬送装置において、前記搬送中の容器が一対のネックレール或いはスクリュー軸等とのこじれ等で詰ってしまった際に、前記詰った容器を容易に排除できるようにする容器搬送装置を提供することを目的としている。
【課題を解決するための手段】
【００１２】
前記の課題に対し、本発明は以下の手段により解決を図る。
（１）第１の手段の容器搬送装置は、鍔部を備えた容器口部のネック部が適宜の隙間で挟まれるような状態で、また、前記鍔部が受けられるような状態で、容器が搬送ガイドされる容器搬送方向の左右に設けた一対のネックレールと、前記ネックレールの下方でその溝部が前記容器の胴部に係合して回転することにより前記容器が搬送されるスクリュー軸、および、搬送容器に対して前記スクリュー軸と反対側に搬送容器がガイドされるように設けた搬送ガイドを有する容器搬送装置において、前記ネックレールを所定区間で分割して着脱可能とし、前記所定区間の前記搬送ガイドを着脱可能として、前記所定区間内で前記容器搬送に詰りが生じた際に、前記着脱可能搬送ガイドの取り外し、前記着脱可能ネックレールの取り外しを介して前記詰った容器のネック部を前記ネックレールから取り去ることができるようにして、前記詰った容器を該容器搬送装置から排除できるように構成したことを特徴とする。
【００１３】
（２）第２の手段の容器搬送装置は、前記第１の手段の容器搬送装置において、前記着脱可能ネックレールを、前記所定区間の容器搬送方向の一端側に設けたヒンジ（支点）を介して他端側を揺動持ち上げ可能な着脱容易構造として、前記持ち上げた他端側から前記詰った容器のネック部を前記ネックレールから取り去ることができるようにして、前記詰った容器を該容器搬送装置から排除できるように構成したことを特徴とする。
【００１４】
（３）第３の手段の容器搬送装置は、前記第１の手段の容器搬送装置において、前記着脱可能ネックレールを、持ち上げ取り外し可能な着脱容易構造とし、前記持ち上げによって取り外したネックレールから前記詰った容器のネック部を取り去ることができるようにして、前記詰った容器を該容器搬送装置から排除できるように構成したことを特徴とする。
【００１５】
（４）第４の手段の容器搬送装置は、前記第１の手段の容器搬送装置において、前記着脱可能ネックレールを、一対の一方は固定構造とし、他方は前記固定側との間で搬送方向に設けたヒンジ（支点）の周りにスウィング持ち上げ可能な着脱容易構造として、前記ネックレールのスウィング持ち上げによって前記詰った容器のネック部を取り去ることができるようにして、前記詰った容器を該容器搬送装置から排除できるように構成したことを特徴とする。
【発明の効果】
【００１６】
請求項１から４に係わる本発明は、鍔部を備えた容器口部のネック部が適宜の隙間で挟まれるような状態で、また、前記鍔部が受けられるような状態で、容器が搬送ガイドされる容器搬送方向の左右に設けた一対のネックレールと、前記ネックレールの下方でその溝部が前記容器の胴部に係合して回転することにより前記容器が搬送されるスクリュー軸、および、搬送容器に対して前記スクリュー軸と反対側に搬送容器がガイドされるように設けた搬送ガイドを有する容器搬送装置において、前記ネックレールを所定区間で分割して着脱可能としたことにより、さらには、前記着脱可能ネックレールを、前記所定区間の容器搬送方向の一端側に設けたヒンジ（支点）を介して他端側を揺動持ち上げ可能な着脱容易構造として、前記持ち上げた他端側から前記詰った容器のネック部を前記ネックレールから取り去ることができるようにしたことにより、または、持ち上げ取り外し可能な着脱容易構造とし、前記持ち上げによって取り外したネックレールから前記詰った容器のネック部を取り去ることができるようにしたことにより、或いは、一対の一方は固定構造とし、他方は前記固定側との間で搬送方向に設けたヒンジ（支点）の周りにスウィング持ち上げ可能な着脱容易構造として、前記ネックレールのスウィング持ち上げによって前記詰った容器のネック部を取り去ることができるようにしたことにより、前記詰った容器を該容器搬送装置から容易に排除でき、前記詰った容器の排除のための時間を大幅に短縮できるとともに、前記詰った容器の排除後の前記一対のネックレール等の復元に際して、予め調整してあった位置決め位置に容易に復元できるという効果を有する。
【図面の簡単な説明】
【００１７】
【図１】本発明の第１の実施の形態に係わる容器搬送装置の平面図である。
【図２】図１の正面図である。
【図３】図１のIII−III線断面図である。
【図４】図１のIＶ−IＶ線断面図である。
【図５】本発明の第２の実施の形態に係わる容器搬送装置の平面図で、図１に相当する図である。
【図６】図５の正面図である。
【図７】図５のVII−VII線断面であり、図３と重複する箇所は一部省略してある。
【図８】図５のVIII矢視図であり、一部省略してある。
【図９】本発明の第３の実施の形態に係わる容器搬送装置の平面図で、図１、図５に相当する図である。
【図１０】図９のＸ−Ｘ断面図である。
【図１１】詰り容器の排除を説明する図で、図１０に相当する図である。
【図１２】従来の容器搬送装置の平面図である。
【図１３】図１２の正面図である。
【図１４】図１２のＸIＶ−ＸIＶ線断面図である。
【図１５】図１２のＸＶ−ＸＶ断面図である。
【発明を実施するための形態】
【００１８】
以下、この発明の実施の形態につき図面を参照しつつ詳細に説明する。なお、この実施の形態によりこの発明が限定されるものではない。また、下記実施の形態における構成要素には、当業者が容易に想定できるもの、あるいは実質的に同一のものが含まれる。
【００１９】
（本発明の第１の実施の形態）
本発明の第１の実施の形態を図１から図４に基づいて説明する。
図１は、本発明の第１の実施の形態に係わる容器搬送装置の平面図である。
図２は、図１の正面図である。
図３は、図１のIII−III線断面図である。
図４は、図１のIＶ−IＶ線断面図である。
図１から図４において、従来の容器搬送装置４０について説明した図１２から図１５と同じ構造のものは同じ記号を付してあり、重複する説明は省略する。
また、類似の構造のものは類似の記号を付して分り易くしてあり、容器搬送装置４０の一対のネックレール４１、覆い４２、ブラケット４３は、本発明の第１の実施の形態に係わる容器搬送装置１では、それぞれ一対のネックレール１１、覆い１２、ブラケット１３と記載してある。
【００２０】
容器搬送装置１の一対のネックレール１１および覆い１２は、図１に示す二点鎖線のＴの位置で上流側のネックレール４１ｆおよび覆い４２ｆと分割された構成となっており、下流側の一端が支持台１７に設けられた支点軸（ヒンジ）１７ｈを支点として揺動回転できるようにして、覆い１２の上流側の他端に設けられた位置決めブラケット１５を介して取手１６を持ち上げることにより、図２の矢印１ａおよび二点鎖線で示すように、揺動持ち上げによる着脱ができるように構成されている。
なお、前記位置決めブラケット１５は、着脱可能な覆い１２には固定されているが、上流側の覆い４２ｆには固定されておらず、覆い４２ｆを跨ぐような状態で覆い４２ｆに位置決めされるようになっている。
【００２１】
なお、図４に示すように、容器Ｐに対してスクリュー軸６と反対側に、搬送ガイド９が底板８に固定された２箇所のガイドサポート９ｓに容易な着脱可能構成で設けられており、前記スクリュー軸６によって搬送される容器Ｐは容器姿勢が崩れないようになっている。
【００２２】
次に、本発明の第１の実施の形態の容器搬送装置１の作用を説明する。
図１に示す位置Ｔの下流側で、容器Ｐ１が一対のネックレール１１、または、一対のスクリュー軸６等とこじれて詰ってしまった際は、搬送ガイド９をガイドサポート９ｓから取り外した後、取手１６を持ち上げることにより、図２の二点鎖線に示すように、ネックレール１１、覆い１２を支点軸１７ｈの周りに揺動回転して持ち上げることができる。
このようにして、図示二点鎖線の詰っている容器Ｐ１を、図示Ｍの方向に動かすことにより、鍔部Ｐｓおよびネック部Ｐｎ（以下鍔部Ｐｓおよびネック部Ｐｎを単にネック部Ｐｎと称することがある）を容易に一対のネックレール１１から取り外して、容器Ｐ１を容器搬送装置１から排除することができる。
【００２３】
前記説明では、スクリュー軸６を上下に一対設けた場合について説明したが、一対には限定せずに、スクリュー軸６は１個のみとして、スクリュー軸６の溝部６ｇに容器Ｐの胴部が係合して該スクリュー軸６の回転によって、容器Ｐが搬送されればよいことはもちろんであり、詳細な説明は省略する。
【００２４】
（第２の実施の形態）
次に、本発明の第２の実施の形態を図５から図８に基づいて説明する。
図５は、本発明の第２の実施の形態に係わる容器搬送装置の正面図で、図１に相当する図である。
図６は、図５の正面図である。
図７は、図５のVII−VII線断面であり、図３と重複する箇所は一部省略してある。
図８は、図５のVIII矢視図であり、一部省略してある。
図５から図８において、図１から図４に示した容器搬送装置１と同じ構造のものは同じ記号を付してあり、重複する説明は省略する。
また、類似の構造のものは類似の記号を付して分り易くしてあり、容器搬送装置１の一対のネックレール１１、覆い１２、ブラケット１３は、本発明の第２の実施の形態に係わる容器搬送装置２では、それぞれ一対のネックレール２１、覆い２２、ブラケット２３と記載してある。
【００２５】
容器搬送装置２は、一対のネックレール２１および覆い２２が、図５に示す二点鎖線のＴの位置で上流側のネックレール４１ｆおよび覆い４２ｆと分割された構成となっており、上流側で位置決めブラケット２５を介して取手２６を持ち上げ、さらに、下流側で位置決めブラケット２５ｂを介して取手２６ｂを持ち上げることにより、図２の矢印２ａおよび二点鎖線で示すように、持ち上げによる着脱ができるように構成されている。
なお、前記位置決めブラケット２５は、着脱可能な覆い２２には固定されているが、上流側の覆い４２ｆには固定されておらず、覆い４２ｆを跨ぐような状態で覆い４２ｆに位置決めされるようになっており、前記位置決めブラケット２５ｂは、着脱可能な覆い２２には固定されているが、支持台２７上に取付けられたブラケット２８には固定されておらず、ブラケット２８を跨ぐような状態でブラケット２８に位置決めされるようになっている。また、前記覆い２２は容器搬送方向にも図示しない位置決め部品により位置決めされるようになっているが、詳細な説明は省略する。
【００２６】
なお、図７では図示を省略しているが、図３と同様に、容器Ｐに対してスクリュー軸６と反対側に、搬送ガイド９が底板８に固定された２箇所のガイドサポート９ｓに容易な着脱可能で設けられており、前記スクリュー軸６によって搬送される容器Ｐは容器姿勢が崩れないようにガイドされる構成となっている。
【００２７】
次に、本発明の第２の実施の形態の容器搬送装置２の作用を説明する。
図５に示す位置Ｔの下流側で、容器Ｐ１が一対のネックレール２１、または、一対のスクリュー軸６等とこじれて詰ってしまった際は、搬送ガイド９をガイドサポート９ｓから取り外した後、取手２６および取手２６ｂを持ち上げることにより、図６の二点鎖線に示すように、ネックレール２１、覆い２２を上方に持ち上げることができる。
このようにして、図示二点鎖線の容器Ｐ１を、図示Ｎの方向に動かすことにより、ネック部Ｐｎを容易に一対のネックレール２１から取り外して容器Ｐ１を容器搬送装置２から排除することができる。
【００２８】
（第３の実施の形態）
次に、本発明の第３の実施の形態を図９から図１１に基づいて説明する。
図９は、本発明の第３の実施の形態に係わる容器搬送装置の正面図で、図１、図５に相当する図である。
図１０は、図９のＸ−Ｘ断面図である。
図１１は、詰り容器の排除を説明する図で、図１０に相当する図である。
図９から図１１において、図１から図４、或いは、図５から図８に示した容器搬送装置１或いは容器搬送装置２と同じ構造のものは同じ記号を付してあり、重複する説明は省略する。
また、類似の構造のものは類似の記号を付して分り易くしてあり、容器搬送装置２の一対のネックレール２１、覆い２２、ブラケット２３は、本発明の第３の実施の形態に係わる容器搬送装置３では、それぞれ一対のネックレール３１とネックレール３１ｂ、覆い３２と覆い３２ｂ、ブラケット３３とブラケット３３ｂと記載してある。
【００２９】
容器搬送装置３は、図９に示す二点鎖線のＴの位置で上流側のネックレール４１ｆおよび覆い４２ｆと分割された構成となっており、ネックレール３１および覆い３２がブラケット３３を介して一体となり、ネックレール３１ｂおよび覆い３２ｂがブラケット３３ｂを介して一体となって、前記覆い３２と覆い３２ｂが、図１１の矢印３ａに示すように、ヒンジ３５を介して図示二点鎖線の位置からスウィング持ち上げできる構成となっている。
なお、前記ネックレール３１ｂと覆い３２ｂは、下流側が支持台３７に、上流側は図示しない支持台に固定されており、前記覆い３２は、図１１の二点鎖線の位置に復元する際に、図示しない位置決めストッパにより復元位置が再現できるようになっているが、詳細な説明は省略する。
【００３０】
なお、図１０では図示を省略しているが、図３と同様に、容器Ｐに対してスクリュー軸６と反対側に、搬送ガイド９が底板８に固定された２箇所のガイドサポート９ｓに容易な着脱可能で設けられており、前記スクリュー軸６によって搬送される容器Ｐは容器姿勢が崩されないようにガイドされる構成となっている。
【００３１】
次に、本発明の第３の実施の形態に係わる容器搬送装置３の作用を説明する。
図９に示す位置Ｔの下流側で、容器Ｐ１が一対のネックレール３１とネックレール３１ｂ、または、一対のスクリュー軸６等とこじれて詰ってしまった際は、搬送ガイド９をガイドサポート９ｓから取り外した後、図１１に示すように、ヒンジ３５を介して、覆い３２をスウィング持ち上げさせることにより、詰っている容器Ｐ１を、図示Ｐｆの方向に動かすことによって、容器Ｐ１を容器搬送装置３から排除することができる。
【符号の説明】
【００３２】
１、２、３  容器搬送装置
５  スターホイール
５ｇ  （スターホイールの）容器グリッパ
６  （一対の）スクリュー軸
９  搬送ガイド
９ｓ  ガイドサポート
１１  （一対の）ネックレール
１２  覆い
１５  位置決めブラケット
１６  取手
１７  支持台
１７ｈ  支点軸（ヒンジ）
２１  （一対の）ネックレール
２２  覆い
２５、２５ｂ  位置決めブラケット
２６、２６ｂ  取手
２７  支持台
３１、３１ｂ  （一対の）ネックレール
３２、３２ｂ  覆い
３５  ヒンジ
３７  支持台
【図１】
2013133175.tif 000003
【図２】
2013133175.tif 000004
【図３】
2013133175.tif 000005
【図４】
2013133175.tif 000006
【図５】
2013133175.tif 000007
【図６】
2013133175.tif 000008
【図７】
2013133175.tif 000009
【図８】
2013133175.tif 000010
【図９】
2013133175.tif 000011
【図１０】
2013133175.tif 000012
【図１１】
2013133175.tif 000013
【図１２】
2013133175.tif 000014
【図１３】
2013133175.tif 000015
【図１４】
2013133175.tif 000016
【図１５】
2013133175.tif 000017